(57)【要約】【課題】  表示部材の照明効率を向上させることが可能な照明装置を提供する。【解決手段】  ４辺形状の表示部材１の背後に４辺形状の導光部材３１を配置し、この導光部材３１の角部３４ａ側方に単一の光源２２を配置し、この光源２２の光を導光部材３１を介して表示部材１に導く照明装置において、導光部材３１の角部３４ａであって表示部材１の表示領域１４から外れた箇所に側方に突出する耳部３５を設け、この耳部３５に光源２２の光を受光する受光部３６を設けると共に受光部３６と対向する位置に導入した光を導光部材３１の内方に向けて放射状に反射する反射部３７を設けた。【選択図】  図２
2005293935.tif 000002
【特許請求の範囲】
【請求項１】
４辺形状の表示部材の背後に４辺形状の導光部材を配置し、この導光部材の角部側方に単一の光源を配置し、この光源の光を前記導光部材を介して前記表示部材に導く照明装置において、
前記導光部材の角部であって前記表示部材の表示領域から外れた箇所に側方に突出する耳部を設け、
前記耳部に前記光源の光を受光する受光部を設けると共に前記受光部と対向する位置に導入した光を前記導光部材の内方に向けて放射状に反射する反射部を設けたことを特徴とする照明装置。
【請求項２】
前記導光部材が前記表示部材の形状に対応した一対の長辺と短辺とを有する長方形形状に形成され、前記光源の発光中心を前記導光部材の長手方向に向けたことを特徴とする請求項１記載の照明装置。
【発明の詳細な説明】
【技術分野】
【０００１】
本発明は、導光部材を用いて液晶等の表示部材をバックライト照明する照明装置に関する。
【背景技術】
【０００２】
従来、この種の照明装置にあっては、例えば下記特許文献１に記載されているものが知られている。この特許文献１に記載の照明装置は、例えば液晶パネルからなる表示部材と、この表示部材をバックライト照明するためのＬＥＤからなる光源と、この光源から表示部材に至る照明経路中に配置される導光部材とを備えている。この場合、導光部材は、略平板状に形成され、４つのコーナー部のうち１つのコーナー部に略半円状に切り欠き形成した切り欠き面を設け、この切り欠き面と対向するように光源を配置し、この光源から発せられた光が切り欠き面を通じて導光部材内に供給される。そして、この導光部材内に供給された光は導光部材の表面から略均一に照らし出されるものであった。
【特許文献１】特開平１１−３０６８３１号公報
【発明の開示】
【発明が解決しようとする課題】
【０００３】
しかしながら、特許文献１記載の照明装置の場合、導光部材の１つのコーナー部に略半円状の切り欠き面を設けた構成であるため、導光部材上に表示部材を配置して表示部材の表示可能エリアを均一照明するには、通常、表示部材が矩形状（平面４辺形状）により形成されていることから、導光部材の切り欠き面を避けて導光部材上に表示部材を配置しなければならない。そうすると、必然的に表示部材の周囲に導光部材の余剰領域が生じるため、表示可能エリアに供給される光が減少し照明効率が低下してしまうという問題を有していた。
そこで本発明は、前述の課題に対して対処するため、表示部材の照明効率を向上させることが可能な照明装置の提供を目的とするものである。
【課題を解決するための手段】
【０００４】
本発明は、４辺形状の表示部材の背後に４辺形状の導光部材を配置し、この導光部材の角部側方に単一の光源を配置し、この光源の光を前記導光部材を介して前記表示部材に導く照明装置において、前記導光部材の角部であって前記表示部材の表示領域から外れた箇所に側方に突出する耳部を設け、前記耳部に前記光源の光を受光する受光部を設けると共に前記受光部と対向する位置に導入した光を前記導光部材の内方に向けて放射状に反射する反射部を設けたことを特徴とする。
【０００５】
本発明は、前記導光部材が前記表示部材の形状に対応した一対の長辺と短辺とを有する長方形形状に形成され、前記光源の発光中心を前記導光部材の長手方向に向けたことを特徴とする。
【発明の効果】
【０００６】
本発明によれば、初期の目的を達成でき、表示部材の照明効率を向上させることが可能な照明装置を提供できる。
【発明を実施するための最良の形態】
【０００７】
図１，図２は本発明の実施形態を示すもので、以下、これらに基づいて本発明の実施形態を例えば複写機の操作パネルに搭載される照明装置に適用した場合について説明する。なお、図１は本発明の実施形態による照明装置の分解斜視図、図２は同実施形態による導光部材の正面図である。
【０００８】
図１において、本実施形態による照明装置は表示部材１と、この表示部材１を照明する光源ユニット２と、この光源ユニット２の後述する光源から表示部材１に至る照明経路中に配置される板状部材３と、表示部材１や板状部材３等を収納するケース体４と、このケース体４の背後に配置される回路基板５とから構成される。
【０００９】
表示部材１は、例えば１対のガラス基板間に液晶を封入した平面４辺形状の液晶パネルからなり、前面ガラス１１と背面ガラス１２とを有し、この場合、前面ガラス１１は背面ガラス１２よりも幅狭に形成されている。なお、１３は前面ガラス１１から露出する背面ガラス１２の表面箇所に設けられた電極端子（図示せず）を電気的に接続するための端子ピンであり、この端子ピン１３は、金属材料からなり、所定間隔を有して列状に複数個配列され、背面ガラス１２の板面とは直交する方向に延びている。つまり、端子ピン１３はその一端側（背面ガラス１２側）が前記電極端子の端部を弾性的に挟み付けるようにクリップ状に形成され、他端側（回路基板５側）がケース体４の後述する孔並びに回路基板５の後述する端子孔を貫通する。なお、１４は、例えば操作パネルの操作に関する各種情報を表示するための表示領域（表示可能領域）であり、本実施形態の場合、表示領域１４は板状部材３の後述する平板部の外形形状と略同一寸法に設定されている。
【００１０】
光源ユニット２は、配線基板２１と光源２２とからなり、配線基板２１は例えばガラスエポキシ系基材に配線パターン（図示せず）を施した硬質回路基板からなり、ケース体４の後述する溝部内に収納固定され、光源２２や例えば抵抗、コンデンサ等の各種回路部品（図示せず）が前記配線パターンに導通接続されている。また、配線基板２１は、表示部材１の板面方向（回路基板５の板面方向）とは直交する方向に板状に延びている。なお、配線基板２１の両端部にはケース体４の後述する溶着ピンが貫通する一対の孔部２３が形成されている。
【００１１】
光源２２は、単一（１個）であり、例えば白色光を発するチップ型発光ダイオードからなり、配線基板２１上に搭載され、板状部材３の後述する導光部材内に光を供給する発光体である。また、光源２２は、ケース体４の前記溝部に連通する貫通孔部（後述する）内に埋設され、その発光面が後述する導光部材に設けた受光部と対向している。
【００１２】
板状部材３は、光源２２の光を表示部材１に導くための導光部材３１と、この導光部材３１と表示部材１との間に配置され、導光部材３１から表示部材１に向かう光源２２の光を均一化させるためのＰＥＴシートからなる拡散板３２とを備えている。
【００１３】
導光部材３１は、例えば透光性のアクリル樹脂からなり、略平面４辺形状に形成され、互いに対向する一対の長辺と一対の短辺とを有し、表示部材１の板面に沿うように板状に延びる長方形形状の平板部３３を備えている。この平板部３３の４つの角部３４のうちの１箇所の角部３４ａには平板部３３の板厚と同一の板厚を有するように耳部３５が側方に突出形成されている。
【００１４】
この耳部３５は、光源２２の発光面と対向するように光源２２側に突出し、光源２２の光を平板部３３に導くための光導入部としての機能を有している。また耳部３５は、表示部材１における表示領域１４の外側に位置しており、耳部３５には、図２に示すように光源２２から発せられる光を受光する受光部３６と、図２中、受光部３６の左方に位置して受光部３６を通じて導光部材３１の耳部３５内に採り入れた光を導光部材３１の内方に向けて放射状に反射するための反射部３７とが形成されている。この反射部３７は、受光部３６と対向しており、受光部３６から遠ざかるに従って平板部３３の側面部側に湾曲する曲面部からなる。ここで、光源２２は、その発光中心が平板部３３の長手方向を向くように耳部３５に対向している。
【００１５】
ケース体４は、例えば白色の合成樹脂材料からなり、略凹部形状に形成され、表示部材１、光源ユニット２、板状部材３を保持する保持体として機能、導光部材３１の背面から洩れる光源ユニット２の光源２２からの光を効率的に表示部材１側に反射させるための反射体としての機能を有している。このケース体４は、表示部材１と板状部材３を収納するための凹部形状からなる収納部４１と、この収納部４１の全周を取り囲むように形成される４つの周壁部４２とを備えており、４つの周壁部４２のうち図１中、右方に位置する周壁部４２箇所の外壁面には光源ユニット２の配線基板２１を保持するための溝部４３が形成されている。
【００１６】
収納部４１は、略階段状に形成され、導光部材３１を収納する第１の収納壁４４と、この第１の収納壁４４の上方（収納部４１の開口側）に位置すると共に第１の収納壁４４よりも幅広い開口幅を有し表示部材１並びに拡散板３２を収納する第２の収納壁４５とを有し、第１の収納壁４４の耳部３５に対応する箇所には外部に連通する貫通孔部４６が設けられている。
【００１７】
溝部４３は、周壁部４２の前記外壁面箇所を切り欠いた略凹部形状からなり、その底面部には配線基板２１の各孔部２３に対応するように配線基板２１側に延び、配線基板２１を溶着固定するための一対の溶着ピン４７が形成されている。そして、配線基板２１（光源ユニット２）の溝部４３への組み付け時には、まず、各溶着ピン４７が各孔部２３に、さらに貫通部４６が光源２２に対向するように光源ユニット２とケース体４とを位置合わせし、次に、光源２２が貫通孔部４６内に埋設するように各溶着ピン４７を各孔部２３に貫通させて配線基板２１を溝部４３内に収納し、その後、各孔部２３から突出した各溶着ピン４７の突出端部を熱により溶かすことによって、前記突出端部が孔部２３の孔径よりも径大となり、これにより光源ユニット２が溝部４３内に溶着固定される。以上により、光源ユニット２の溝部４３への組み付けが完了する。
【００１８】
なお、４８は表示部材１の各端子ピン１３に対応する位置に形成され、各端子ピン１３が貫通する複数の孔であり、これら孔４８を貫通した各端子ピン１３の貫通端部は回路基板５の後述する端子孔を貫通するようになっている。
【００１９】
回路基板５は、例えばガラスエポキシ系基材に配線パターン（図示せず）を施した硬質回路基板からなり、例えば表示部材１を駆動する駆動手段（図示せず）や例えば抵抗、コンデンサ等の各種回路部品（図示せず）が前記配線パターンに導通接続されている。なお、５１はケース体４の各孔４８を貫通した各端子ピン１３の前記貫通端部が貫通する端子孔であり、これら端子孔５１は表示部材１の各端子ピン１３並びにケース体４の各孔４８に対応する位置に形成されている。そして、端子孔５１を貫通して回路基板５の背面側に突出した端子ピン１３の突出端部が前記配線パターンに導通接続されることで、表示部材１を駆動できるようになっている。
【００２０】
このような構成において、貫通孔部４６内に埋設された光源２２が点灯すると、この光源２２のから発せられた光は、光源２２の発光面に対向する耳部３５の受光部３６を通じて耳部３５内に供給され、この耳部３５内に採り入れられた光のうち反射部３７を経ないで平板部３３に導入される光は主として表示領域１４中のエリアＡ（図２参照）に相当する領域を照らし、反射部３７を経て平板部３３に導入される光は主として表示領域１４中のエリアＢ（図２参照）に相当する領域を照らす。このように平板部３３に導入された光は、平板部３３の表面から出射し拡散板３２に照射される。なお、平板部３３内に放射された光の一部は、平板部３３の背面から導光部材３１の外部（第１の収納壁４４の底壁側）に洩れるが、この洩れ光は第１の収納壁４４の前記底壁によって平板部３３内に再反射されてるため、平板部３３の表面から拡散板３２に照射される照射光量を効率よく補うことができる。さらに、拡散板３２側に照射された照射光は拡散板３２によって均一化され、この光が表示部材１を透過することで、表示部材１（表示領域１４）をその全体に渡って略均一的にバックライト照明することができる。
【００２１】
かかる本実施形態では、導光部材３１の平板部３３における４つの角部３４のうち１箇所の角部３４ａの近傍に耳部３５を突出形成し、耳部３５の受光部３６を通じて耳部３５内に採り入れた光でダイレクトに平板部３３（エリアＡ）を照らすと共に反射部３７によって放射状に反射した光で平板部３３（エリアＢ）を照らし、このように平板部３３に導入した光によって表示領域１４を照明するよう構成されている。従って、導光部材３１おいて極力無駄な箇所を省きつつ単一の光源２２でもって表示部材１を効率よく、しかもバランスよく照明することができる。
【００２２】
また本実施形態では、表示領域１４から外れた位置に形成された耳部３５を光源２２から平板部３３に至る光導入経路として利用することにより、角部３４ａ近傍箇所が明るくなりすぎることが防止され、平板部３３を輝度ムラなく均一に照明することができる。
【００２３】
また本実施形態では、光源２２としてチップ型発光ダイオードを用いた例について説明したが、本発明はこれに限定されることはなく、例えば図３に示すように砲弾型発光ダイオードからなる光源２２を用いてもよい。なお、この場合、光源２２から発せられる光を受光する受光部３６は光源２２の発光面形状に対応して凹状に設定することが望ましい。また、光源２２の種類は任意である。
【００２４】
なお本実施形態では、耳部３５が図２（図３）中、右下に位置する１つの角部３４ａに平板部３３と一体形成された場合について説明したが、例えば耳部３５を角部３４ａではなく角部３４ａ以外の角部３４のうちの何れか１箇所の角部に形成してもよい。
【図面の簡単な説明】
【００２５】
【図１】本発明の実施形態による照明装置の分解斜視図である。
【図２】同実施形態による導光部材の正面図である。
【図３】本発明の他の実施形態による導光部材の正面図である。
【符号の説明】
【００２６】
１    表示部材
２    光源ユニット
３    板状部材
４    ケース体
５    回路基板
１４    表示領域
２１    配線基板
２２    光源
３１    導光部材
３２    拡散板
３３    平板部
３４，３４ａ  角部
３５    耳部
３６    受光部
３７    反射部
【図１】
2005293935.tif 000003
【図２】
2005293935.tif 000004
【図３】
2005293935.tif 000005